(57)【特許請求の範囲】
【請求項１】
電子機器本体のアンテナ取り付け部にアンテナハウジングを設け、このアンテナハウジングにアンテナ部の回転用Ｌ字コネクタを接続した小型アンテナにおいて、前記アンテナハウジングに、前記回転用Ｌ字コネクタを回転及び着脱自在に連結するために、前記回転用Ｌ字コネクタ側と前記アンテナハウジング側のいずれか一方に雄型嵌合筒部を形成し、この雄型嵌合筒部の外周に形成した嵌め込み溝に弾性を有するＯリングを嵌め込み、前記アンテナハウジング側と前記回転用Ｌ字コネクタ側のいずれか他方に雌型嵌合筒部を形成し、この雌型嵌合筒部の内壁に前記Ｏリングを圧入係止する係止突部を形成し、前記回転用Ｌ字コネクタ側の嵌合筒部の嵌合孔に先端を露出した接点部材を取り付け、この接点部材に対峙して前記アンテナハウジングの内部の接点部に接続するとともに、前記Ｏリングを前記係止突部に圧接する接触ばねを設けたことを特徴とする小型アンテナの脱着機構。
【請求項２】
アンテナハウジングと回転用Ｌ字コネクタの回転及び着脱自在な連結は、前記回転用Ｌ字コネクタ側の雄型嵌合筒部の外周に形成した嵌め込み溝に弾性を有するＯリングを嵌め込み、前記アンテナハウジング側の前記雌型嵌合筒部の内壁に係止突部を形成し、前記Ｏリングを前記係止突部に圧入係止するようにしたことを特徴とする請求項１記載の小型アンテナの脱着機構。
【請求項３】
アンテナハウジングと回転用Ｌ字コネクタの回転及び着脱自在な連結は、前記アンテナハウジング側の雄型嵌合筒部の外周に形成した嵌め込み溝に弾性を有するＯリングを嵌め込み、前記回転用Ｌ字コネクタ側の前記雌型嵌合筒部の内壁に係止突部を形成し、前記Ｏリングを前記係止突部に圧入係止するようにしたことを特徴とする請求項１記載の小型アンテナの脱着機構。
【発明の詳細な説明】
【技術分野】
【０００１】
本発明は、パソコン、電話機などの電子機器に取り付けられ、異常な力が加わったときに機器が破壊するのを防止するようにした小型アンテナの脱着機構に関するものである。
【背景技術】
【０００２】
従来、例えば、図６に示すようなノート型パソコン１０にモデムカード１１を着脱自在に差し込み使用するものにおいて、モデムカード１１に無線通信のためのアンテナ部１２が取り付けられ、使用時に起立させ、不使用時に折りたたむようにしたものが知られている（特許文献１）。
さらに詳しくは、前記アンテナ部１２は、第１の回転用Ｌ字コネクタ１３と第２の回転用Ｌ字コネクタ１４にてクランク状に連結され、第２の回転用Ｌ字コネクタ１４のプラグ１８がモデムカード１１のソケット１９に挿入接続される。前記第１の回転用Ｌ字コネクタ１３と第２の回転用Ｌ字コネクタ１４は、第２の回転用Ｌ字コネクタ１４側の係合溝１５に第１の回転用Ｌ字コネクタ１３側の係合突条１６が回転自在に係合し、また、第１の回転用Ｌ字コネクタ１３と第２の回転用Ｌ字コネクタ１４の中心部に信号線１７が挿入されている。
【０００３】
このような構成において、アンテナ部１２を、プラグ１８の軸線Ｘの周りに回転可能にするとともに、第１の回転用Ｌ字コネクタ１３と第２の回転用Ｌ字コネクタ１４の係合軸Ｙの周りに回転可能にして、アンテナ部１２の指向方向を調整したり、アンテナ部１２をモデムカード１１側に折りたたんだりすることのできる構造になっている。
【特許文献１】特開２００３−３２０１６号公報
【発明の開示】
【発明が解決しようとする課題】
【０００４】
このようなアンテナ部１２は、ノート型パソコン１０やモデムカード１１から突出して設けられているので、ノート型パソコン１０の使用中や持ち運び中などに邪魔になって大きな力を受けることがある。
そのため、プラグ１８の軸線方向に着脱できるようにしたり、アンテナ部１２に可撓性のある材料を用いたりしたとしても、アンテナ部１２に軸線方向と異なる方向の一定以上の力がかかると、アンテナ部１２その他の機器部分が破壊してしまう恐れがあるという問題があった。
本発明は、アンテナ部にどの方向から一定以上の力がかかってもアンテナ部や機器に損傷を与えることのない小型アンテナの脱着機構を提供することを目的とするものである。
【課題を解決するための手段】
【０００５】
本発明は、電子機器本体２０のアンテナ取り付け部２２にアンテナハウジング２３を設け、このアンテナハウジング２３にアンテナ部１２の回転用Ｌ字コネクタ２４を接続した小型アンテナにおいて、前記回転用Ｌ字コネクタ２４側の雄型嵌合筒部３８の外周に嵌め込み溝４０を形成し、この嵌め込み溝４０に弾性を有するＯリング４１を嵌め込み、前記アンテナハウジング２３側の雌型嵌合筒部２５の内壁に、前記Ｏリング４１を圧入係止する係止突部２８を形成して相互に回転及び着脱自在に連結し、前記嵌合筒部３８の嵌合孔４２に先端を露出した接点部材４３を取り付け、この接点部材４３に対峙してアンテナハウジング２３の内部の接点部３０に接続するとともに、前記Ｏリング４１を係止突部２８に圧接する接触ばね３１を設けたことを特徴とする小型アンテナの脱着機構である。
【発明の効果】
【０００６】
請求項１記載の発明によれば、電子機器本体のアンテナ取り付け部にアンテナハウジングを設け、このアンテナハウジングにアンテナ部の回転用Ｌ字コネクタを接続した小型アンテナにおいて、前記アンテナハウジングに、前記回転用Ｌ字コネクタを回転及び着脱自在に連結するために、前記回転用Ｌ字コネクタ側と前記アンテナハウジング側のいずれか一方に雄型嵌合筒部を形成し、この雄型嵌合筒部の外周に形成した嵌め込み溝に弾性を有するＯリングを嵌め込み、前記アンテナハウジング側と前記回転用Ｌ字コネクタ側のいずれか他方に雌型嵌合筒部を形成し、この雌型嵌合筒部の内壁に前記Ｏリングを圧入係止する係止突部を形成し、前記回転用Ｌ字コネクタ側の嵌合筒部の嵌合孔に先端を露出した接点部材を取り付け、この接点部材に対峙して前記アンテナハウジングの内部の接点部に接続するとともに、前記Ｏリングを前記係止突部に圧接する接触ばねを設けたので、アンテナ部１２に所定以上の外力がかかると、アンテナ部が電子機器本体から外れてアンテナ部や電子機器本体が破損するのを未然に防止できる。また、アンテナ部の回転による位置調整と、アンテナ部の脱着機構とを同時に機能させることができるとともに、接触ばねのばね力で嵌合筒部を介してＯリングを係止突部側に押し込み密着し、この密着したときの抵抗で、アンテナ部が自重や小さな力で動くのを規制して、安定した結合状態となる。
【０００７】
請求項２記載の発明によれば、アンテナハウジングと回転用Ｌ字コネクタの回転及び着脱自在な連結は、前記回転用Ｌ字コネクタ側の雄型嵌合筒部の外周に形成した嵌め込み溝に弾性を有するＯリングを嵌め込み、前記アンテナハウジング側の前記雌型嵌合筒部の内壁に係止突部を形成し、前記Ｏリングを前記係止突部に圧入係止するようにしたので、アンテナ部の回転による位置調整と、アンテナ部の脱着機構とを同時に機能させることができる。
【０００９】
請求項３記載の発明によれば、アンテナハウジングと回転用Ｌ字コネクタの回転及び着脱自在な連結は、前記アンテナハウジング側の雄型嵌合筒部の外周に形成した嵌め込み溝に弾性を有するＯリングを嵌め込み、前記回転用Ｌ字コネクタ側の前記雌型嵌合筒部の内壁に係止突部を形成し、前記Ｏリングを前記係止突部に圧入係止するようにしたので、アンテナ部の回転による位置調整と、アンテナ部の脱着機構とを同時に機能させることができる。
【発明を実施するための最良の形態】
【００１２】
本発明は、電子機器本体２０にアンテナハウジング２３を設け、このアンテナハウジング２３にアンテナ部１２を接続した小型アンテナにおいて、前記アンテナハウジング２３に、前記アンテナ部１２に設けた回転用Ｌ字コネクタ２４を回転及び着脱自在に連結することで小型アンテナを脱着可能としている。
【００１３】
アンテナハウジング２３と回転用Ｌ字コネクタ２４の回転及び着脱自在な連結は、回転用Ｌ字コネクタ２４側の雄型嵌合筒部３８の外周に嵌め込み溝４０を形成し、この嵌め込み溝４０に弾性を有するＯリング４１を嵌め込み、前記アンテナハウジング２３側の雌型嵌合筒部２５の内壁に、前記Ｏリング４１を圧入係止する係止突部２８を形成する。
【００１４】
また、嵌合筒部３８の嵌合孔４２に先端を露出した接点部材４３を取り付け、この接点部材４３に対峙してアンテナハウジング２３の内部の接点部３０に接続するとともに、前記Ｏリング４１を係止突部２８に圧接する接触ばね３１を設けてより確実に結合させる。
【００１５】
アンテナハウジング２３と回転用Ｌ字コネクタ２４の回転及び着脱自在な連結は、上記例に限られるものではなく、アンテナハウジング２３側の雄型嵌合筒部２５の外周に嵌め込み溝４０を形成し、この嵌め込み溝４０に弾性を有するＯリング４１を嵌め込み、前記回転用Ｌ字コネクタ２４側の雌型嵌合筒部３８の内壁に、前記Ｏリング４１を圧入係止する係止突部２８を形成するようにしてもよい。
【００１６】
さらに、アンテナハウジング２３と回転用Ｌ字コネクタ２４の回転及び着脱自在な連結は、回転用Ｌ字コネクタ２４側の雄型嵌合筒部３８の外周に嵌め込み溝４０を形成し、この嵌め込み溝４０にばね５５で外方に付勢された複数個のボール５４を嵌め込み、前記回転用Ｌ字コネクタ２４側の雌型嵌合筒部２５の内壁に、前記ボール５４を圧入係止する係止突部２８を形成するようにしてもよい。
【００１７】
さらにまた、アンテナハウジング２３と回転用Ｌ字コネクタ２４の回転及び着脱自在な連結は、アンテナハウジング２３側の雄型嵌合筒部２５の外周に嵌め込み溝４０を形成し、この嵌め込み溝４０にばね５５で外方に付勢された複数個のボール５４を嵌め込み、前記回転用Ｌ字コネクタ２４側の雌型嵌合筒部３８の内壁に、前記ボール５４を圧入係止する係止突部２８を形成することもできる。
【実施例１】
【００１８】
本発明による小型アンテナの脱着機構の実施例１を図１〜図３に基づき説明する。
図３において、ノート型パソコンなどの電子機器本体２０には、ディスプレイ５２がヒンジ部２１によって開閉自在に取り付けられている。このヒンジ部２１の側端部に位置して後述するアンテナハウジング２３を嵌め込み取り付けるためのアンテナ取り付け部２２が設けられている。
このアンテナハウジング２３は、プラスチックなどの絶縁体からなり、直径が約１１ｍｍで両端開口した嵌合筒部２５と、この嵌合筒部２５から一方側に伸びた基部２６とからなる。前記嵌合筒部２５の一方の開口部には、後述する回転用Ｌ字コネクタ２４が着脱自在に嵌合するように、開口端近くの内周部分に係止突部２８が形成されている。この係止突部２８の開口端部側は、回転用Ｌ字コネクタ２４を嵌合するときのガイドのためのテーパー部２９になっており、また、係止突部２８の内側は、後述するＯリング４１と密着するようにＯリング４１と同様の湾曲面となっている。
【００１９】
前記嵌合筒部２５の他方の開口端部には、プリント基板などの接点部３０が配置され、この接点部３０は、前記アンテナハウジング２３の基部２６に、アース兼取り付け板３４とともにねじ３５で取り付けられている。この接点部３０の内側の略中央には、Ｕ字形に折曲した弾性を有する接触ばね３１が取り付けられ、この接触ばね３１は、接点部３０の外側のプリント配線部３２を介して一端部がコネクタ３３に接続され、他端部がねじ３５によってアース兼取り付け板３４に接続されている。
前記アース兼取り付け板３４は、アンテナハウジング２３の基部２６側にさらに延長しており、この延長部分が前記アンテナ取り付け部２２の取り付け面５１にあてがわれ、アース兼取り付け板３４の取り付けねじ孔３６を通してねじ３７で固着される。
【００２０】
前記回転用Ｌ字コネクタ２４の一側面には、前記嵌合筒部２５の外周と略同一径の鍔部３９が一体に設けられ、この鍔部３９の先端部にさらに前記嵌合筒部２５の内壁面２７よりわずかに小さな径の嵌合筒部３８が一体に設けられている。この嵌合筒部３８の外周には、嵌め込み溝４０が形成され、この嵌め込み溝４０にゴム等からなり弾力性を有するＯリング４１が嵌め込まれている。前記回転用Ｌ字コネクタ２４における鍔部３９と嵌合筒部３８には、内部に嵌合孔４２が形成され、この嵌合孔４２内に、外周を絶縁材４４で被覆した接点部材４３が嵌合し、ピン４５によって嵌合筒部３８に固定的に取り付けられている。この接点部材４３は、一端部が外部に露出し、他端部が嵌合孔４２内で絶縁材４４から突出している。
【００２１】
前記回転用Ｌ字コネクタ２４には、長さが約８０ｍｍのアンテナ部１２が取り付けられている。このアンテナ部１２は、弾力性と絶縁性を有する補強板４８にアンテナ素子４７を貼着し、前記回転用Ｌ字コネクタ２４の挿入孔４９を通って内部に突出し、突出した前記アンテナ素子４７の端部が前記接点部材４３の端部と電気的に接続されている。また、アンテナ素子４７の先端部は、回転用Ｌ字コネクタ２４のほぞ部４６を貫通し、屈曲性を有するカバー５０で被覆されている。このカバー５０の先端部内側（電子機器本体２０側）には、係合突片５３が一体に形成され、ディスプレイ５２を閉じるときにディスプレイ５２の側面に係止するようになっている。
【００２２】
以上のような構成における作用を説明する。
アンテナハウジング２３の嵌合筒部２５をアンテナ取り付け部２２に嵌合し、アース兼取り付け板３４を取り付け面５１の下面に当接してねじ３７で固定する。
また、回転用Ｌ字コネクタ２４における嵌合筒部３８をアンテナハウジング２３のテーパー部２９から圧入すると、Ｏリング４１の外周がやや押しつぶされつつ係止突部２８を乗り越え、鍔部３９の端面と嵌合筒部２５の端面が接触した状態で係合される。このとき、接点部材４３の端面が接触ばね３１に圧接して電気的に接続される。同時に、接触ばね３１のばね力で嵌合筒部３８を介してＯリング４１を係止突部２８側に押し込み密着する。この密着したときの抵抗で、アンテナ部１２が自重や小さな力で動くのを規制して、安定した結合状態となる。また、コネクタ３３が電子機器本体２０内の図示しないコネクタに接続される。
そして、ディスプレイ５２を開いてパソコン電子機器本体２０を作動する。このとき、アンテナ部１２の最良の感度になるようにＯリング４１の部分で回転して調整する。
【００２３】
電子機器本体２０の使用中、電子機器本体２０の運搬中などにアンテナ部１２に回転可能な方向以外の力が作動すると、その力が通常の作業時に加わる一定値を超えないときには、回転用Ｌ字コネクタ２４側がアンテナハウジング２３から外れることがない。また、アンテナ部１２が捻られたりしてもアンテナ部１２は、柔軟性を有するので、回転用Ｌ字コネクタ２４側がアンテナハウジング２３から外れることがない。
ここで、回転用Ｌ字コネクタ２４が必要以上の力、例えば２ｋｇ以上の力が何らかの理由で作用すると、アンテナ部１２が破壊する前にＯリング４１が係止突部２８を乗り越えて外れる。回転用Ｌ字コネクタ２４が外れたら、再び嵌合筒部２５へ圧入して元の状態に組み立てる。
なお、電子機器本体２０の使用後にディスプレイ５２を閉じると、ヒンジ部２１の側面に設けられたアンテナ部１２の係合突片５３がディスプレイ５２の側面に係合して電子機器本体２０の側面に折りたたまれる。
【実施例２】
【００２４】
前記実施例１では、アンテナ部１２側の回転用Ｌ字コネクタ２４にＯリング４１を設け、アンテナハウジング２３側の嵌合筒部２５に係止突部２８を設けたが、逆に、図４に示すように、アンテナ部１２側の回転用Ｌ字コネクタ２４に係止突部２８を設け、アンテナハウジング２３側の嵌合筒部２５にＯリング４１を設けるようにしてもよい。この場合、接触ばね３１の力で嵌合筒部３８側の係止突部２８をＯリング４１の側面に押圧密着させて、アンテナ部１２が自重や小さな力で動くのを規制して、安定した結合状態となる。
【実施例３】
【００２５】
前記実施例１及び２では、Ｏリング４１をリング状としたが、図５に示すように、嵌め込み溝４０内に複数のボール５４をばね５５で外向きに付勢するように設けてもよい。この場合、ボール５４が嵌め込み溝４０から抜け出ないように、嵌め込み溝４０の両側の壁部分をボール５４の中心より上でやや内側へ湾曲した構造とする。
【実施例４】
【００２６】
図５に示す前記実施例３では、複数のボール５４とばね５５を、アンテナ部１２側の回転用Ｌ字コネクタ２４における嵌め込み溝４０内に設け、アンテナハウジング２３側の嵌合筒部２５に係止突部２８を設けたが、逆に、複数のボール５４とばね５５を、アンテナハウジング２３側の嵌合筒部２５に設け、アンテナ部１２側の回転用Ｌ字コネクタ２４に係止突部２８を設けてもよい。
【００２７】
前記実施例では、図３に示すように、アンテナハウジング２３が電子機器本体２０におけるヒンジ部２１の側端部のアンテナ取り付け部２２に嵌め込み取り付けられるようになっているが、これに限られるものではなく、アンテナハウジング２３を電子機器本体２０におけるヒンジ部２１の側端部に予め一体に形成してもよい。
図１に示す実施例では、前記アンテナ部１２は、回転用Ｌ字コネクタ２４と別体に構成し、回転用Ｌ字コネクタ２４のほぞ部４６がアンテナ部１２のカバー５０と嵌合するように構成したが、一体に構成することもできる。この場合、アンテナ素子４７を被覆するカバー５０は、可能な限り屈曲性を有するように構成することが望ましい。
【図面の簡単な説明】
【００２８】
【図１】（ａ）は、本発明による小型アンテナの脱着機構の実施例１を示す一部切り欠いた正面図、（ｂ）は、アンテナ部１２の内部のアンテナ素子４７の側面図である。
【図２】図１における小型アンテナの脱着機構の側面図である。
【図３】図１における小型アンテナの脱着機構の分解斜視図である。
【図４】本発明による小型アンテナの脱着機構の実施例２を示す一部切り欠いた正面図である。
【図５】本発明による小型アンテナの脱着機構の実施例３を示す一部切り欠いた正面図である。
【図６】従来の小型アンテナの脱着機構の一部切り欠いた正面図である。
【符号の説明】
【００２９】
１０…ノート型パソコン、１１…モデムカード、１２…アンテナ部、１３…第１の回転用Ｌ字コネクタ、１４…第２の回転用Ｌ字コネクタ、１５…係合溝、１６…係合突条、１７…信号線、１８…プラグ、１９…ソケット、２０…パソコン電子機器本体、２１…ヒンジ部、２２…アンテナ取り付け部、２３…アンテナハウジング、２４…回転用Ｌ字コネクタ、２５…嵌合筒部、２６…基部、２７…内壁面、２８…係止突部、２９…テーパー部、３０…接点部、３１…接触ばね、３２…プリント配線部、３３…コネクタ、３４…アース兼取り付け板、３５…ねじ、３６…取り付けねじ孔、３７…ねじ、３８…嵌合筒部、３９…鍔部、４０…嵌め込み溝、４０…嵌め込み溝、４１…Ｏリング、４２…嵌合孔、４３…接点部材、４４…絶縁材、４５…ピン、４６…ほぞ部、４７…アンテナ素子、４８…補強板、４９…挿入孔、５０…カバー、５１…取り付け面、５２…ディスプレイ、５３…係合突片、５４…ボール、５５…ばね。
【図１】
0004708223.tif 000002
【図２】
0004708223.tif 000003
【図３】
0004708223.tif 000004
【図４】
0004708223.tif 000005
【図５】
0004708223.tif 000006
【図６】
0004708223.tif 000007